(57)【要約】【課題】外装筐体の外側に記録用の液体を収容する液体収容タンクが配置され、このタンクから外装筐体内に液体供給チューブを引き込み、外装筐体内に配置される記録ヘッドに接続する構成の記録装置であっても、液体供給チューブの配置が複雑化し難い記録装置を提供すること。【解決手段】外装ハウジング２７の外部に配置されるインクタンク２３と、インクタンク２３内のインクをインクヘッド３１に供給する複数のインク供給チューブ２４とを備えるプリンター１において、インク供給チューブ２４の、少なくとも一部において、少なくとも２つの組に分けられ、インク供給チューブ２４は、分けられた部分が、プリンター１に設けられる異なる挿通部に通され、インクタンク２３とインクヘッド３１に接続されていること。【選択図】図１９
2013202934.tif 000002
【特許請求の範囲】
【請求項１】
記録媒体を搬送する搬送機構と、
前記記録媒体に対して記録用の液体を噴射し情報の記録を行う記録ヘッドと、
前記記録ヘッドが搭載され、前記記録媒体の搬送方向と直交する方向である主走査方向に往復移動するキャリッジと、
前記搬送機構、前記記録ヘッドおよび前記キャリッジを収容する筐体と、
前記筐体の外部に配置され、前記液体が貯留される液体収容タンクと、
前記液体収容タンク内の液体を前記記録ヘッドに供給する複数の液体供給チューブと、
を備える記録装置であって、
前記複数の液体供給チューブは、少なくとも一部において、少なくとも２つの組に分けられ、
前記複数の液体供給チューブは、前記分けられた部分が、前記記録装置に設けられる異なる挿通部に通され、前記液体収容タンクと前記記録ヘッドに接続されている、
ことを特徴とする記録装置。
【請求項２】
請求項１に記載の記録装置であって、
前記複数の液体供給チューブは、前記キャリッジの部分において互いに拘束されている、
ことを特徴とする記録装置。
【請求項３】
請求項１または２に記載の記録装置であって、
操作部が配置される操作部配置面を有する操作パネルと、
前記筐体内に配置され前記操作パネルを支持するフレーム体と、
前記操作部配置面が、前記排出口が形成される前記側壁部の外側面に沿った位置に配置される収納位置と、前記主走査方向に沿う方向に配置される軸部を中心に前記外側面から前記筐体の外側に回動された突出位置とに変位可能に配置されるように、前記操作パネルを回動可能に支持する回動支持機構と、
前記操作パネルが前記突出位置に配置された状態が保持されるように、前記筐体側に固定される固定部材に対して前記操作パネルを支持する支持部材と、
を有し、
前記支持部材は、前記操作パネルの背面との間に間隔を空けて前記主走査方向に並行に配置される連結部材を有し、
前記支持部材の前記主走査方向両側と前記フレーム体との間の間隙を前記挿通部とし、前記複数の液体供給チューブの少なくとも１本が通されている、
ことを特徴とする記録装置。
【請求項４】
請求項３に記載の記録装置であって、
前記記録媒体がセットされる記録媒体装填部に備えられ、前記記録媒体を前記搬送方向に沿ってガイドするガイド部材を備え、
前記ガイド部材と前記フレーム体との間の間隙を前記挿通部とし、この挿通部に前記複数の液体供給チューブのうち少なくとも１本が通されている、
ことを特徴とする記録装置。
【請求項５】
請求項１または２に記載の記録装置であって、
前記排出口の内側には、前記記録用紙の排出を妨げないない位置に設けられた仕切板により、前記記録用紙が搬送される搬送経路と前記排出口の主走査方向の側面とが仕切られており、
前記仕切板と前記側面との間の間隙を前記挿通部とし、この挿通部に前記複数の液体供給チューブのうち少なくとも１本が通されている、
ことを特徴とする記録装置。
【請求項６】
請求項１または２に記載の記録装置であって、
前記液体供給チューブは、前記キャリッジに対して前記主走査方向の一方側から接続されている、
ことを特徴とする記録装置。
【請求項７】
請求項１または２に記載の記録装置であって、
前記液体供給チューブは、複数の流路が隣接される多連の液体供給チューブである、
ことを特徴とする記録装置。
【請求項８】
請求項１または２に記載の記録装置であって、
前記液体供給チューブは、前記記録媒体が搬送される搬送経路の前記主走査方向の両側に配置される挿通部に通されている、
ことを特徴とする記録装置。
【請求項９】
請求項１または２に記載の記録装置であって、
前記液体供給チューブは、前記キャリッジよりも前記搬送方向上流側に配置される挿通部に通されている、
ことを特徴とする記録装置。
【請求項１０】
請求項１または２に記載の記録装置であって、
前記液体供給チューブは、前記キャリッジよりも前記搬送方向下流側に配置される挿通部に通されている、
ことを特徴とする記録装置。
【請求項１１】
請求項１または２に記載の記録装置であって、
前記液体供給チューブは、前記記録媒体が搬送される搬送経路の側部側に配置される挿通部と前記キャリッジよりも前記搬送方向上流側に配置される挿通部とに通されている、
ことを特徴とする記録装置。
【請求項１２】
請求項１または２に記載の記録装置であって、
前記液体供給チューブは、前記記録媒体が搬送される搬送経路の側部側に配置される挿通部と前記キャリッジよりも前記搬送方向下流側に配置される挿通部とに通されている、
ことを特徴とする記録装置。
【請求項１３】
請求項１または２に記載の記録装置であって、
前記液体供給チューブは、前記キャリッジよりも前記搬送方向上流側に配置される挿通部と前記キャリッジよりも前記搬送方向下流側に配置される挿通部とに通されている、
ことを特徴とする記録装置。
【請求項１４】
請求項１または２に記載の記録装置であって、
前記搬送機構が配置される前記筐体の内部の空間と、前記筐体の外部とを連通する開口部と、
前記開口部を開閉する蓋体と、
前記開口部と前記蓋体との間に配置され、前記開口部が閉塞しないように前記蓋体を支持する支持部材と、
を有し、
前記挿通部は、前記開口部と前記蓋体との間に設けられている、
ことを特徴とする記録装置。
【発明の詳細な説明】
【技術分野】
【０００１】
本発明は、記録装置に関する。
【背景技術】
【０００２】
記録装置の一種であるインクジェットプリンターの中には、たとえば、特許文献１，２に開示されるように、インクジェットプリンターを構成する外装筐体（外装ハウジング）の外側に、インクタンクを備える構成のものがある。かかる構成のインクジェットプリンターにおいては、外装筐体の外側から内側にインクチューブを引き込み、外装筐体の外側に配置されているインクタンクから外装筐体の内部に配置される記録ヘッドにインクを供給する必要がある。
【先行技術文献】
【特許文献】
【０００３】
【特許文献１】中国特許出願公報番号５３８９０９
【特許文献２】中国実用新案公報番号ＣＮ２８２５２８９Ｙ
【発明の概要】
【発明が解決しようとする課題】
【０００４】
しかしながら、インクチューブをインクジェットプリンターの外部から内部に引き込むにあたっては、インクチューブを引き込む位置（挿通部）を選択したり、インクジェットプリンター内の構造物に配慮してインクチューブを配置する必要がある。そのため、インクチューブの配置が複雑になる虞がある。
【０００５】
そこで、本発明は、外装筐体の外側に記録用の液体を収容する液体収容タンクが配置され、このタンクから外装筐体内に液体供給チューブを引き込み、外装筐体内に配置される記録ヘッドに接続する構成の記録装置であっても、液体供給チューブの配置が複雑化し難い記録装置を提供することを課題とする。
【課題を解決するための手段】
【０００６】
上記課題を解決するために、記録媒体を搬送する搬送機構と、記録媒体に対して記録用の液体を噴射し情報の記録を行う記録ヘッドと、記録ヘッドが搭載され、記録媒体の搬送方向と直交する方向である主走査方向に往復移動するキャリッジと、搬送機構、記録ヘッドおよびキャリッジを収容する筐体と、筐体の外部に配置され、液体が貯留される液体収容タンクと、液体収容タンク内の液体を記録ヘッドに供給する複数の液体供給チューブとを備える記録装置において、複数の液体供給チューブは、少なくとも一部において、少なくとも２つの組に分けられ、複数の液体供給チューブは、分けられた部分が、記録装置に設けられる異なる挿通部に通され、液体収容タンクと記録ヘッドに接続されていることとする。
【０００７】
記録装置を上述のように構成した場合には、液体供給チューブの分割された部分をそれぞれ異なる挿通部に通すことができ、液体供給チューブの経路の選択が増える。
【０００８】
また、上述の発明に加えて、複数の液体供給チューブは、キャリッジの部分において互いに拘束されていることとする。
【０００９】
記録装置を上述のように構成した場合には、液体供給チューブの配置を簡便なものとすることができ、記録装置内の構造物への不要な接触を少なくすることができる。
【００１０】
また、上述の発明に加えて、操作部が配置される操作部配置面を有する操作パネルと、筐体内に配置され操作パネルを支持するフレーム体と、操作部配置面が、排出口が形成される側壁部の外側面に沿った位置に配置される収納位置と、主走査方向に沿う方向に配置される軸部を中心に外側面から筐体の外側に回動された突出位置とに変位可能に配置されるように、操作パネルを回動可能に支持する回動支持機構と、操作パネルが突出位置に配置された状態が保持されるように、筐体側に固定される固定部材に対して操作パネルを支持する支持部材とを有し、支持部材は、操作パネルの背面との間に間隔を空けて主走査方向に並行に配置される連結部材を有し、支持部材の主走査方向両側とフレーム体との間の間隙を挿通部とし、複数の液体供給チューブの少なくとも１本が通されていることとする。
【００１１】
記録装置を上述のように構成した場合には、間隙に通された部分よりも液体収容タンク側の液体供給チューブの移動を抑えることをでき、記録媒体との干渉を防止できる。
【００１２】
また、上述の発明に加えて、記録媒体がセットされる記録媒体装填部に備えられ、記録媒体を搬送方向に沿ってガイドするガイド部材を備え、ガイド部材とフレーム体との間の間隙を挿通部とし、この挿通部に複数の液体供給チューブのうち少なくとも１本が通されていることとする。
【００１３】
記録装置を上述のように構成した場合には、記録装置を上述のように構成した場合には、ガイド部材とフレームとの間隙で液体供給チューブを保持することができ、キャリッジの移動に伴う液体供給チューブの変形量を少なくすることができ、液体供給チューブの損傷を防止できる。
【００１４】
また、上述の発明に加えて、排出口の内側には、記録用紙の排出を妨げないない位置に設けられた仕切板により、記録用紙が搬送される搬送経路と排出口の主走査方向の側面とが仕切られており、仕切板と側面との間の間隙を挿通部とし、この挿通部に複数の液体供給チューブのうち少なくとも１本が通されていることとする。
【００１５】
記録装置を上述のように構成した場合には、液体供給チューブが搬送経路の側に移動しないようにすることができ、記録媒体との干渉を防止できる。
【００１６】
また、上述の発明に加えて、液体供給チューブは、キャリッジに対して主走査方向の一方側から接続されていることとする。
【００１７】
記録装置を上述のように構成した場合には、液体供給チューブの分割されている部分の配置を簡易な配置とすることができる。
【００１８】
また、上述の発明に加えて、液体供給チューブは、複数の流路が隣接される多連の液体供給チューブであることとする。
【００１９】
記録装置を上述のように構成した場合には、液体供給キューブの配置を簡便なものとすることができ、記録装置内の構造物への不要な接触を少なくすることができる。
【００２０】
また、上述の発明に加えて、液体供給チューブは、記録媒体が搬送される搬送経路の主走査方向の両側に配置される挿通部に通されていることとする。
【００２１】
記録装置を上述のように構成した場合には、液体供給チューブを搬送経路の両側に配置し易くなり、搬送経路を搬送される記録媒体との干渉を防止できる。
【００２２】
また、上述の発明に加えて、液体供給チューブは、キャリッジよりも搬送方向上流側に配置される挿通部に通されていることとする。
【００２３】
記録装置を上述のように構成した場合には、搬送経路を搬送される記録媒体との干渉を防止できる。
【００２４】
また、上述の発明に加えて、液体供給チューブは、キャリッジよりも搬送方向下流側に配置される挿通部に通されていることとする。
【００２５】
また、上述の発明に加えて、液体供給チューブは、記録媒体が搬送される搬送経路の側部側に配置される挿通部とキャリッジよりも搬送方向上流側にされる挿通部とに通されていることとする。
【００２６】
また、上述の発明に加えて、液体供給チューブは、記録媒体が搬送される搬送経路の側部側に配置される挿通部とキャリッジよりも搬送方向下流側に配置される挿通部とに通されていることとする。
【００２７】
また、上述の発明に加えて、液体供給チューブは、キャリッジよりも搬送方向上流側に配置される挿通部とキャリッジよりも搬送方向下流側に配置される挿通部とに通されていることとする。
【００２８】
また、上述の発明に加えて、搬送機構が配置される筐体の内部の空間と、筐体の外部とを連通する開口部と、開口部を開閉する蓋体と、開口部と蓋体との間に配置され、開口部が閉塞しないように蓋体を支持する支持部材とを有し、挿通部は、開口部と蓋体との間に設けられていることとする。
【００２９】
記録装置を上述のように構成した場合には、液体供給チューブを容易に筐体内に引き込むことができる。
【図面の簡単な説明】
【００３０】
【図１】プリンターを示した外観斜視図である。
【図２】スキャナーユニットを開放状態とした際のプリンターを示した斜視図である。
【図３】プリンターを示した側面視断面図である。
【図４】プリンターユニットの内部構造を示した側面視断面図である。
【図５】装置フレームを示した斜視図である。
【図６】操作パネルを使用位置に傾動した際のプリンターを示した斜視図である。
【図７】操作パネルが収納位置に配置されたときの回動支持機構を示した裏面斜視図である。
【図８】操作パネルが突出位置に配置されたときの回動支持機構を示した裏面斜視図である。
【図９】操作パネルが突出位置に配置されたときの回動支持機構を示した裏面斜視図である。
【図１０】（ａ）は、ストッパーフレームを示した斜視図である。（ｂ）は、ストッパーフレームを示した側面図である。
【図１１】（ａ）は、フロントフレーム部を示した斜視図である。（ｂ）は、フロントフレーム部を示した側面図である。
【図１２】収納位置から突出位置に傾動させる引出し動作を示した遷移図である。
【図１３】突出位置から収納位置に傾動させる押戻し動作を示した遷移図である。
【図１４】用紙トレイ側に設けられる挿通部の概略構成を示す図である。
【図１５】連結部材と操作パネルとの間にインクチューブを通す状態を示す図である。
【図１６】インクチューブの他の配置例を示す側面視断面図である。
【図１７】インクチューブの他の配置例２を示すプリンターの斜視図である。インクチューブの配置の例３を示す装置フレームの裏面斜視図である。
【図１８】インクチューブの他の配置例４を示すプリンターの斜視図である。インクチューブの配置の例４を示すプリンターの側面視断面図である。
【図１９】インクチューブの他の配置例４を示すプリンターの斜視図である。
【発明を実施するための形態】
【００３１】
以下、本発明の記録装置の実施の形態に係るインクジェットプリンター（以下、単にプリンターと記載する）１について、図面を参照しながら説明する。なお、以下の説明において、図１に示す矢印Ｘ１で示す方向を前方（前側）、矢印Ｘ２で示す方向を後方（後側）、後方から前方に向かって左手側となる矢印Ｙ１で示す方向を左方（左側）、矢印Ｙ２で示す方向を右方（右側）、矢印Ｚ１で示す方向を上方（上側）、そして矢印Ｚ２で示す方向を下方（下側）として説明を行う。
【００３２】
図１は、プリンター１を示した外観斜視図である。図１に示すように、プリンター１は、プリンターユニット（画像記録装置）２に加えて、スキャナーユニット３を備える、いわゆる複合機として構成されている。スキャナーユニット３は、プリンターユニット２の上部に配置され、プリンターユニット２とスキャナーユニット３とは一体の構成となっている。プリンターユニット２の前面には、両ユニットを操作するための操作部であるボタン群４が備えられる操作パネル（パネル体）５が設けられている。
【００３３】
図２は、スキャナーユニット３を開放状態としたプリンター１を示した斜視図である。図１および図２に示すように、スキャナーユニット３は、後端部の開閉機構６を介してプリンターユニット２に回動自在に支持されており、プリンターユニット２の上部を開閉自在に覆っている。すなわち、スキャナーユニット３を回動方向に引き上げることで、プリンターユニット２の上面開口部７を露出させ、当該上面開口部７を介して、プリンターユニット２の内部が露出される（開放状態：図２参照）。
【００３４】
一方、スキャナーユニット３を回動方向に引き降ろしプリンターユニット２上に載置することで、スキャナーユニット３によって上面開口部７が閉塞される（閉塞状態：図１参照）。スキャナーユニット３を開放し、上面開口部７を露出させることで、ユーザーは上面開口部７からプリンターユニット２の内部にアクセスすることができ、紙詰まりの解消等の処理を行うことができる。
【００３５】
なお、図１および図２に示すように、本実施の形態では、インクタンク２３から印刷部２２にインクを供給する液体供給チューブとしてのインクチューブ２４が、インクチューブ２４Ｓ１，２４Ｓ２の２組に分割されて、プリンターユニット２の筐体の外部へと引き出されている（後述）。
【００３６】
図３は、プリンター１を示した側面視断面図である。図２および図３に示すように、スキャナーユニット３は、筐体を呈するアッパーフレーム８と、アッパーフレーム８に収容された画像読取部９（図４参照）と、アッパーフレーム８の上部に回動自在に支持された上蓋１０と、を備えている。また、詳細は後述するが、アッパーフレーム８の後端部には、開閉機構６のスキャナーユニット３側の構成部材が設けられている。なお、スキャナーユニットは、不図示の原稿台を具備しており、この原稿台に読取対象物が載置可能となっている。このスキャナーユニット１２は、イメージセンサーを備えるスキャナー用キャリッジと、キャリッジ駆動機構と、各駆動部位の制御を司る制御部等を備えている（いずれも図示省略）。そして、原稿台に載置された読取対象物に対して、制御部での制御によってキャリッジ駆動機構によってスキャナー用キャリッジのイメージセンサーが相対的に移動させられ、それにより読取対象物が読み取られる。
【００３７】
図２に戻って説明すると、プリンターユニット２は、記録媒体として枚葉の記録用紙Ｐ（印刷用紙や単票紙）を搬送経路２０（図５参照）に沿って搬送する搬送機構２１と、搬送経路２０の上方に配設され、記録用紙Ｐにインクジェット方式で印刷処理を行う印刷部（記録部）２２と、印刷部２２に供給する記録用の液体としてのインクが貯留される液体収容タンクとしてのインクタンク２３と、インクタンク２３から印刷部２２にインクを供給する液体供給チューブとしてのインクチューブ２４と、前面に配設されたパネル形式の操作パネル５と、搬送機構２１、印刷部２２および操作パネル５を支持したフレーム体である装置フレーム２５と、これらを覆う筐体であって排出口２６が配置される装置ハウジング（ハウジング）２７と、を備えている。装置フレーム２５は装置ハウジング２７内に配置されている。インクタンク２３は、装置ハウジング２７の外側、すなわち、プリンター１の外側に配置されている。また、図示を省略するが、後面下部には、ＵＳＢポートおよび電源ポートが配設されている。すなわち、プリンター１は、ＵＳＢポートを介してコンピューター等に接続可能に構成されている。
【００３８】
図４は、プリンターユニット２の内部構造を示した側面視断面図である。図２および図４に示すように、印刷部２２は、装置フレーム２５に支持されると共にＹ軸方向に幅一杯に延在する板金製のガイドフレーム２８と、ガイドフレーム２８に往復動自在に支持されたキャリッジユニット２９と、キャリッジユニット２９をガイドフレーム２８に沿って往復動させるキャリッジ移動機構３０（図２参照）と、を備えている。そして、このキャリッジユニット２９に、記録ヘッドとしてのインクヘッド３１が搭載されている。
【００３９】
ガイドフレーム２８は、断面「Ｃ」宇状に形成されており、その上下でキャリッジユニット２９の係合スライダー部３２が係合する。これにより、キャリッジユニット２９は、ガイドフレーム２８に掛け止めされるようにして片持ちで且つ延在方向（Ｙ軸方向）に往復動自在に、すなわちスライド自在に支持されている。キャリッジ移動機構３０は、ガイドフレーム２８に沿って延在するタイミングベルト３３と、タイミングベルト３３を架け渡した主動プーリ（図示省略）および従動プーリ３４と、タイミングベルト３３とキャリッジユニット２９（キャリッジ３５）とを連結する連結固定部（図示省略）と、主動プーリを駆動するキャリッジモーター（図示省略）と、を備えている。キャリッジモーターが正逆回転すると、タイミングベルト３３を介してキャリッジユニット２９がＹ軸方向（左右方向）に往復動する。この往復動に伴って、キャリッジユニット２９のインクヘッド３１が吐出駆動することにより、いわゆる主走査が行われる。
【００４０】
図４に示すように、キャリッジユニット２９は、係合スライダー部３２を介してガイドフレーム２８に往復動自在に支持された箱状のキャリッジ３５と、キャリッジ３５の下面に一体に組み込まれたインクヘッド３１と、キャリッジ３５に搭載された４個のインク貯留部３６と、を備えている。
【００４１】
インクタンク２３とインク貯留部３６とはインクチューブ２４を介して接続され、インクヘッド３１にはインク貯留部３６に貯留されたインクが供給される。つまり、インクタンク２３内のインクは、インクチューブ２４およびインク貯留部３６を介してインクヘッド３１に供給される。インクヘッド３１は、４色のインク滴を吐出する４連のノズル列（図示省略）を有している。
【００４２】
インクタンク２３は、４つのノズル列に対応して４色のインクをそれぞれ個別に貯留する個別のタンクを有している。インクチューブ２４は、４本のチューブ部分（図示省略）が並列される構成であり、インクタンク２３の各色毎の個別タンクと各インク貯留部３６とを一対一で接続している。
【００４３】
各インク貯留部３６は、インクヘッド３１の４つのノズル列に一対一で接続されている。したがって、インクタンク２３の各個別タンク内のインクは、対応するチューブ部分および各インク貯留部３６を介してインクヘッド３１の対応するノズル列に供給される。
【００４４】
なお、本実施の形態のプリンター１では、インクタンク２３からインクヘッド３１へのインクの供給をインク貯留部３６を介して行っているが、インク貯留部３６を介すことなく、インクチューブ２４を直接インクヘッド３１に接続する構成としてもよい。また、インクの色は４色に限らず、４色未満、あるいは５色以上であってもよく、インクチューブ２４を構成するインクチューブの数およびインク貯留部３６の数はインクの色数に対応したものとなる。インクヘッド３１の４つのノズル列は、相互に並行に且つＸ軸方向に延在し、送られる記録用紙に対し所定のペーパーギャップを存して下向きに配設されている。
【００４５】
キャリッジユニット２９には、信号線としてのフレキシブルフラットケーブル（以下、ＦＦＣと記載する。）３８が接続されているＦＦＣ３８は、インクヘッド３１とインクヘッド３１の駆動制御を行う図示を省略する制御部とを接続する。また、ＦＦＣ３８は、インク貯留部３６内のインクの貯留量に関する情報を該制御部に送る。該制御部からＦＦＣ３８を介してインクヘッド３１に駆動制御信号が送られ、インクヘッド３１は、この駆動制御信号に基づいてインク滴を噴射する。ＦＦＣ３８は、図２に示すように、インクヘッド３１から後方、すなわち、キャリッジ３５を挟んで、排出口２６が配置される側とは反対の側に配置されている。
【００４６】
図４に示すように、搬送機構２１は、記録用紙Ｐが左揃えでセットされる記録媒体装填部としての用紙トレイ３９と、用紙トレイ３９から記録用紙Ｐを１枚ずつ分離して送り出す分離ローラー４０と、分離ローラー４０の下流側に位置し、記録用紙Ｐを搬送経路２０に沿って印刷部２２に送り込む給紙ローラー４１と、給紙ローラー４１の下流側に位置し、インクヘッド３１に対面するプラテン４２と、プラテン４２の下流側に位置する鋸歯状のガイドローラー４３と、ガイドローラー４３の下流側に位置し、排出口２６（図２参照）から記録用紙Ｐを送り出す排紙ローラー４４と、を備えている。用紙トレイ３９には、記録用紙Ｐの左端縁をガイドするガイド部材３９Ａが備えられている。給紙ローラー４１、ガイドローラー４３、および排紙ローラー４４は、それぞれ、分離ローラー４０により用紙トレイ３９から分離された記録用紙Ｐを前方に向かって搬送する搬送ローラーとして構成される。
【００４７】
給紙ローラー４１は、下側の給紙駆動ローラー４１Ａと上側の給紙従動ローラー４１Ｂとから成るニップローラーで構成され、同様に排紙ローラー４４は、下側の排紙駆動ローラー４４Ａと上側の排紙従動ローラー４４Ｂとから成るニップローラーで構成されている。また、ガイドローラー４３および排紙従動ローラー４４Ｂは、装置フレーム２５とは独立のローラーフレーム４５に支持されて、ローラーアッセンブリー４６を構成している。そして、給紙ローラー４１は、記録用紙の送り（副走査）を制御するメインローラーとして機能し、排紙ローラー４４は、プラテン４２の上側に位置する記録用紙に張力（ｔｅｎｓｉｏｎ）を付与するテンションローラーとして機能する。
【００４８】
分離ローラー４０により、用紙トレイ３９から送り込まれた記録用紙は、給紙ローラー４１により、プラテン４２上を排紙ローラー４４に向かって前方に間欠送りされる（副走査）。この間欠送りに同期して、キャリッジユニット２９が左右方向に往復動しながらインクを選択的に吐出して（主走査）、所望の印刷が行われる。一方、プラテン４２を越えてガイドローラー４３に達した記録用紙Ｐの先端は、ガイドローラー４３により上反り状態を矯正されるようにして、排紙ローラー４４に送り込まれる。このようにして、印刷が完了した記録用紙Ｐは、排紙ローラー４４により、排出口２６から前方に送り出される。
【００４９】
図５は、装置フレーム２５を示した斜視図である。図５に示すように、装置フレーム２５は、プリンターユニット２の各部を支持するフレームであり、一体成形された樹脂で構成されている。具体的には、装置フレーム２５は、ベースフレーム部４７と、ベースフレーム部４７に立設され、搬送機構２１の各構成部材およびガイドフレーム２８（図４参照）を両側で支持する左右一対のサイドフレーム部４８と、ベースフレーム部４７の前部において、スキャナーユニット３の前部の支持を補強すると共に操作パネル５を支持する左右一対のフロントフレーム部４９と、ベースフレーム部４７の後部において、開閉機構６を介してスキャナーユニット３（図２参照）を開閉自在に支持する左右一対のリアフレーム部５０と、を備えている。
【００５０】
一対のフロントフレーム部４９は、スキャナーユニット３の前部を支持した装置ハウジング２７の上プレートを下側から受ける。また、操作パネル５は、回動支持機構５１（図７参照）により、図１に示す収納位置５２と図６に示す突出位置５３とに変位することができる。すなわち、操作パネル５は、収納位置５２と突出位置５３とに変位可能である。図１に示す操作パネル５の収納位置５２は、操作部としてのボタン群４が配置される操作部配置面５４が、装置ハウジング２７の排出口２６が配置される側壁部５５の外側面５６に沿った位置に配置される位置である。
【００５１】
図６に示す操作パネル５の突出位置５３は、操作部配置面５４が、上方から下方に向かに従って前方に突出するように操作部配置面５４が傾斜する位置である。操作パネル５は、図６に示す突出位置５３に配置された状態で、支持部材としてのストッパーフレーム５７（図７参照）が固定部材としてのストッパーガイド５８（図５，７参照）に対して支持される。これにより、突出位置５３に配置された操作パネル５の収納位置５２への移動が阻止される。すなわち、ストッパーフレーム５７がストッパーガイド５８に対して支持されることで、操作パネル５は、突出位置５３に配置された状態が維持される。
【００５２】
ユーザーが、操作パネル５を把持し収納位置５２から引き出すと、操作パネル５が回動支持機構５１にガイドされて、突出位置５３に回動させられる。突出位置５３では、ストッパーフレーム５７がストッパーガイド５８に対して支持されることで、操作パネル５の突出位置５３が維持される。一方、操作パネル５を突出位置５３からストッパーガイド５８によるストッパーフレーム５７の支持を解除しつつ押し戻すと、操作パネル５が回動支持機構５１にガイドされて、収納位置５２に回動する。
【００５３】
なお、操作パネル５の操作部配置面５４に配置されるボタン群４は、たとえば、起動ボタン、リセットボタンおよび選択ボタンと言った、複数の操作用のボタンを有する。ボタン群４は、プリンターユニット２のみならず、スキャナーユニット３も操作するボタンを有している。操作部配置面５４には、設定情報等を表示する液晶表示部５９が配置されているが、液晶表示部５９は、必ずしも必要としない。
【００５４】
次に、図１、図６ないし図１３を参照して、回動支持機構５１について詳細に説明する。図７は、操作パネル５が収納位置５２（図１参照）に配置された状態にあるプリンターユニット２内の構成を示す裏面斜視図である。図８は、操作パネル５が突出位置５３（図６参照）に配置された状態にあるプリンターユニット２内の構成を示す裏面斜視図である。図９は、操作パネル５が突出位置５３に配置されたときの回動支持機構５１、ストッパーフレーム５７およびストッパーガイド５８の配置を示した側面構造図である。図１、図６ないし図９に示すように、回動支持機構５１は、操作パネル５を、収納位置５２（図１参照）と、収納位置５２から前方に迫り出すように回動した突出位置５３（図６参照）との間で回動自在に支持する機構である。また、図９に示すように、ストッパーフレーム５７とストッパーガイド５８とは、操作パネル５が突出位置５３に配置された状態を維持させるための部材である。
【００５５】
図７ないし図９に示すように、回動支持機構５１は、操作パネル５の左右の端面の上部に配置され突出して設けられる軸部６０，６０と、上記の両フロントフレーム部４９に設けられ、軸部６０，６０を回動自在に支持する軸受部としてのトラック孔６１とを有する。軸部６０，６０は、操作パネル５に一体に形成されてもよく、或いは取り付けられた部材で構成されてもよい。また、トラック孔６１は、両フロントフレーム部４９に形成され、左右一対の軸部６０，６０をそれぞれスライド自在且つ回転自在に支持する。各トラック孔６１は、若干前下がりに傾いて上下方向に延在する長孔で形成されている。すなわち、トラック孔６１は、軸部６０，６０を主走査方向に沿う方向で支持すると共に、プリンター１の上後方から下前方に軸部６０，６０を回転自在且つスライド自在にガイドする。
【００５６】
図７に示すように、ストッパーフレーム５７は、前方に配置される前端部６２を操作パネル５に回動自在に連結されている。ストッパーガイド５８は、両フロントフレーム部４９に一体に形成され、ストッパーフレーム５７を前後にガイドする。これにより、操作パネル５は、収納位置５２における起立姿勢と、前方に迫り出した突出位置５３における傾斜姿勢をとることが出来る。
【００５７】
図９に示すように、ストッパーガイド５８には、ストッパーフレーム５７の被度当り面６３に当接するストッパーフレーム係止部６４が設けられ、ストッパーフレーム５７の後方への移動を規制する。ストッパーフレーム５７と操作パネル５との間には、ストッパーフレーム５７を上方に回動付勢する付勢バネ６５が備えられている。したがって、図９に示すように、操作パネル５が突出位置５３に配置されると、ストッパーフレーム５７がストッパーガイド５８のストッパーフレーム係止部６４に当接し、操作パネル５は、突出位置５３に配置された状態が維持される。操作パネル５の収納時にクリック感を生じさせるクリック部６６が備えられている。
【００５８】
図１０（ａ）は、ストッパーフレーム５７を示した斜視図である。図１０（ｂ）は、ストッパーフレーム５７を示した側面図である。図１０（ａ）および（ｂ）に示すように、ストッパーフレーム５７は、操作パネル５の幅方向に離間し、各ストッパーガイド５８に対応して係合する左右一対のストッパー部材６７と、一対のストッパー部材６７を連結する連結部材６８と、連結部材６８の下側に設けられ、ストッパーフレーム５７の係止を解除するロック解除レバー（係止解除部材）６９（図１０（ｂ）参照）と、を有し、一体に形成されている。
【００５９】
一対のストッパー部材６７および連結部材６８の前端部６２には、左右方向（主走査方向）に並列した複数（本実施の形態では４箇所）の回動連結部７０が形成されている。各回動連結部７０は、軸部７１を有し、当該軸部７１を、操作パネル５の背面に形成された「Ｃ」字状の各係合部７２（図７参照）に係合させることで、ストッパーフレーム５７が操作パネル５に回動自在に連結される。また、一対のストッパー部材６７および連結部材６８には、縦横に延在する複数の補強リブ７３が形成されている。連結部材６８は、長手方向を左右方向（主走査方向）に向け、操作パネル５の背面（装置ハウジング２７の内側に向く面）に対して並行するように配置されている。また、隣接する回動連結部７０と回動連結部７０との間には、連結部材６８と操作パネル５との間に間隙７４Ａ，７４Ｂ，７４Ｃ（図７参照）が形成されている。
【００６０】
各ストッパー部材６７には、その側端面に突出し、ストッパーガイド５８に係合するスライド突起７５と、その先端部において下方に突出した抜止め突起７６Ａと、が形成されている。各スライド突起７５は、ストッパー部材６７の先端方向に延在して形成されている。そして、各スライド突起７５の延在方向先端部には、上面側に形成され且つ先端方向に延在すると共に、後述の位置規制面７７（図１１（ｂ）参照）に当接する被規制面７８と、スライド突起７５の先端面で且つ被規制面７８に対し鋭角を成す傾斜面であり、後述の度当り面７９（図１１（ｂ）参照）に当接する被度当り面６３と、が形成されている。被規制面７８は、上側（位置規制面７７側）で最初に位置規制面７７突き当たるよう、他の部分から突出して形成されている。また、スライド突起７５の後端部下面側には、被規制面７８に対し並行に延在し、後述の下ガイド面８１（図１１（ｂ）参照）が摺接する被ガイド面８２が形成されている。そして、スライド突起７５は、ストッパーガイド５８に対しスライド自在に係合する一方、抜止め突起７６Ａは、操作パネル５の最大傾回動状態において後述の規制突起７６Ｂ（図１１（ｂ）参照）に当接する。
【００６１】
ロック解除レバー６９は、付勢バネ６５の付勢力に抗して、回動連結部７０を中心に、ストッパーフレーム５７を下方に回動するレバーである。この回動によって、ストッパーフレーム５７とストッパーガイド５８との係止を解除する。ロック解除レバー６９は、連結部材６８の下側に設けられ、操作パネル５の裏面側下部に向かって延在している（図９参照）。すなわち、操作パネル５を下側から把持した際、一緒に把持できるように配設されている。上記係止を解除する際の回動方向は、ロック解除レバー６９を操作パネル５側に近づける方向となっており、操作パネル５とロック解除レバー６９とを一緒に把持した際、その把持力によって、ストッパーフレーム５７を回動し、上記係止が解除される。
【００６２】
図９に示すように、付勢バネ６５は、ストッパーフレーム５７を、その前端部６２において、上方、すなわち、後述のストッパーガイド５８の位置規制面７７側に常時回動付勢している。具体的には、幅方向両端の２つの回動連結部７０に配設した２つのねじりコイルバネ８３で構成されており、各ねじりコイルバネ８３は、一端を操作パネル５に、他端をストッパーフレーム５７に係止されている。
【００６３】
図１１（ａ）は、フロントフレーム部４９を示した斜視図である。図１１（ｂ）は、フロントフレーム部４９を示した側面図である。図１１に示すように、各ストッパーガイド５８は、各フロントフレーム部４９の内側に突出して一体に形成されている。すなわち、一対のストッパーガイド５８は、操作パネル５の幅方向に離間して設けられている。そして、各ストッパーガイド５８は、若干前下がり傾いて前後方向に延在し、スライド突起７５と係合するスライドガイド部８４と、上方への段部８５を存してスライドガイド部８４に連なると共に、操作パネル５が使用・位置に移動した際にスライド突起７５を係止するストッパーフレーム係止部６４と、スライドガイド部８４およびストッパーフレーム係止部６４の下方に配設され、最大回動状態において抜止め突起７６Ａが突き当たる規制突起７６と、を備えている。
【００６４】
スライドガイド部８４により、各スライド突起７５を介して、各ストッパー部材６７をガイドすると共に、操作パネル５が突出位置５３に配置されているときに、ストッパーフレーム係止部６４により、各スライド突起７５を介して、各ストッパー部材６７を係止する。この場合、スライドガイド部８４は、直線状に延在しており、ストッパー部材６７を直線状に移動するようにガイドする。これにより、ストッパー部材６７の移動が規制されるため、同時に操作パネル５の移動（動き）が規制され、操作パネル５の回動が円滑に行われる。すなわち、操作パネル５のスライド移動および回動が適切規制されるため、回動に伴う拗れを防止することができる。
【００６５】
ストッパーフレーム係止部６４は、スライド突起７５の被度当り面６３が当接する度当り面７９と、スライド突起７５の被規制面７８が当接し、付勢バネ６５に抗してスライド突起７５（ストッパー部材６７）を位置規制する位置規制面７７と、を有している。度当り面７９は、ストッパー部材６７を介して操作パネル５から受ける力（スライド突起７５の延在方向への力）に対し、ストッパー部材６７を位置規制面７７側に押圧する方向の分力を生じさせる傾斜面で構成されている。すなわち、度当り面７９は、位置規制面７７に対し鋭角をなしている。操作パネル５が使用位置に位置した際、スライド突起７５の被度当り面６３および被規制面７８が、ストッパーフレーム係止部６４の度当り面７９および位置規制面７７に当接することで、ストッパー部材６７が係止され、ストッパー部材６７を介して、操作パネル５の突出姿勢（傾斜姿勢）が維持される。すなわち、ストッパー部材６７およびストッパーフレーム係止部６４により、操作パネル５の突出位置を保持する。なお、被度当り面６３および被規制面７８は、度当り面７９および位置規制面７７に倣う角度に形成されている。
【００６６】
スライドガイド部８４は、後端部に位置し、スライド突起７５の被度当り面６３が当接する傾斜面である度当り面８０と、スライド突起７５の被規制面７８を当接させて上面をガイドする上ガイド面８６と、スライド突起７５の被ガイド面８２を当接させて下面をガイドする下ガイド面８１と、を有している。スライドガイド部８４の度当り面８０および上ガイド面８６は、ストッパーフレーム係止部６４の度当り面７９および位置規制面７７に倣う角度で形成されている。そして、収納位置５２と使用位置との間で回動する際には、スライド突起７５を上ガイド面８６および下ガイド面８１に摺接させて、ストッパー部材６７をガイドする。なお、スライドガイド部８４は、操作パネル５が後述するクリック係合によって収納位置５２に位置規制された状態において、被度当り面６３と度当り面８０との間に、間隙（間隔）が生じるように設計されている。したがって、度当り面８０は、操作パネル５が、収納位置５２からさらに押し込まれたときに、これを規制する。
【００６７】
また、段部８５を含むスライドガイド部８４とストッパーフレーム係止部６４との相互の移行部分は、面取り形状に形成されている。すなわち、スライド突起７５が、スライドガイド部８４とストッパーフレーム係止部６４との間を円滑に移動するように形成されている。なお、上記付勢バネ６５は、ストッパー部材６７が、ストッパーフレーム係止部６４に係止されるように回動付勢している。すなわち、被規制面７８が、位置規制面７７および上ガイド面８６に当接する方向に回動付勢している。
【００６８】
図９に示すように、クリック部６６は、操作パネル５の左右両端から後方に延在し、それぞれクリック突起８８Ａを有する一対のクリック板８７と、一対のフロントフレーム部４９に形成され、一対のクリック突起８８Ａが軽くクリック係合するクリック穴（収納規制部）８８と、クリック穴８８からクリック突起８８Ａの移動軌跡に倣って延在して形成され、クリック突起８８Ａが摺接する摺接溝８９と、を備えている。クリック突起８８Ａは、半球状に形成されており、クリック突起８８Ａが、クリック穴８８に落ち込むように縦合することで、クリック感を奏すると共に操作パネル５を収納位置５２に位置規制している。なお、クリック穴８８の位置規制を越えて、操作パネル５が押される場合には、スライド突起７５がスライドガイド部８４の度当り面７９に当接して、操作パネル５が位置規制される。
【００６９】
ここで図１２および図１３を参照して回動動作について説明する。図１２は、収納位置５２から使用位置に回動させる引出し動作を示した遷移図である。図１３は、使用位置から収納位置５２に回動させる押戻し動作を示した遷移図である。まず、図１２を参照して、引出し動作について説明する。図１２に示すように、操作パネル５が収納位置５２に位置する際には、軸部６０，６０がトラック孔６１の上端位置に位置し、スライド突起７５がスライドガイド部８４の後端部に位置している（図１２（ａ）参照）。この状態から、ユーザーが操作パネル５を把持し引き出し始めると、軸部６０，６０がトラック孔６１にガイドされて、回転しながら下前方に移動する。これに伴って、操作パネル５が下前方に移動する。加えて、スライド突起７５がスライドガイド部８４にガイドされて、前方に移動する。これに伴って、ストッパー部材６７は操作パネル５に対し相対的に回動しつつ前方に移動する（図１２（ｂ）参照）。
【００７０】
ユーザーによる引き出しが進むと、軸部６０，６０がトラック孔６１の下端部に移動する。一方、スライド突起７５が段部８５を超え、付勢バネ６５の付勢力によって、スライドガイド部８４からストッパーフレーム係止部６４に入り込む（図１２（ｃ）参照）。これらに伴って、操作パネル５が使用位置に移動する。この際、スライド突起７５をストッパーフレーム係止部６４が係止して、操作パネル５を使用姿勢で保持する。そのため、ボタン群４を押下した際の押圧力等によって、操作パネル５が収納側に押し戻されることがない。
【００７１】
次に図１３を参照して、押戻し動作について説明する。押戻し動作では、操作パネル５が使用位置に位置した状態（図１３（ａ）参照）から、まず、操作パネル５の使用姿勢の保持を解除する解除動作を行う。具体的には、ユーザーが操作パネル５とロック解除レバー６９とを一緒に把持する。この把持力によって、ロック解除レバー６９を介し、ストッパーフレーム５７が下方（位置規制面７７に対する反対方向に）回動する。これに伴って、スライド突起７５の先端部がストッパーフレーム係止部６４から下方に離脱し、操作パネル５の使用姿勢の保持が解除される（図１３（ｂ）参照）。
【００７２】
その後、ユーザーが操作パネル５を押し込むと、軸部６０，６０が各トラック孔６１にガイドされて、回転しながら上後方に移動し、一方、スライド突起７５がスライドガイド部８４にガイドされ、ストッパー部材６７が後方に移動していく（図１３（ｃ）参照）。ユーザーによる押込みが進むと、軸部６０，６０がトラック孔６１の上端部に到達すると共に、スライド突起７５がスライドガイド部８４の後端部に到達する。これに伴って、操作パネル５が収納位置５２に移動する（図１３（ｄ）参照）。
【００７３】
ここで、図２、図７および図８に示すような、インクタンク２３とインクヘッド３１とを繋ぐインクチューブ２４は、複数のチューブ部分（図示省略）から構成されていて、このチューブ部分が、インクタンクのうち個別の色の個別タンクに接続されている。そして、全ての色の個別タンクに連通しているチューブ部分が１つに束ねられて（または並んで）配置されている訳ではなく、２つのグループに分けられている。以下では、インクチューブ２４の２つのグループを、それぞれインクチューブ２４Ｓ１およびインクチューブ２４Ｓ２とする。
【００７４】
図２に示す構成では、２つのグループのインクチューブ２４のうち、インクチューブ２４Ｓ１は、装置ハウジング２７内から排出口２６を通って外部へと引き出されている。すなわち、インクチューブ２４Ｓ１は、排出口２６よりも後方側（Ｘ２側）に位置するキャリッジ３５から前方側（Ｘ１側）の排出口２６に向かう態様で配置されている。そして、インクチューブ２４Ｓ１は、装置ハウジング２７内から排出口２６（挿通部）を通って外部へと引き出されている。ここで、図２に示す構成では、インクチューブ２４Ｓ１は排出口２６の右方側（Ｙ２側）の端部に偏る状態に配置されている。
【００７５】
一方、２つのグループのインクチューブ２４のうち、インクチューブ２４Ｓ２は、キャリッジ３５から後方側（Ｘ２側）に向かう態様で、装置ハウジング２７内から引き出されている。詳述すると、図１４に示すように、インクチューブ２４Ｓ２は、ガイド部材３９Ａとリアフレーム部５０との間隙（挿通部９９）を通って、装置ハウジング２７の内部から外部へと引き出されている。この場合において、リアフレーム部５０の内側、すなわちガイド部材３９Ａの側に、装置ハウジング２７の一部であって、リアフレーム部５０のガイド部材３９Ａの側を覆う部分が介在していてもよい。この場合には、インクチューブ２４Ｓ２は、リアフレーム部５０および装置ハウジング２７とガイド部材３９Ａとの間隙を通されることになる。
【００７６】
ところで、インクチューブ２４は、インクチューブ２４Ｓ１とインクチューブ２４Ｓ２とに分割されている。そのため、インクチューブ２４Ｓ１およびインクチューブ２４Ｓ２の太さは、それぞれインクチューブ２４の太さよりも細い。ここで、排出口２６には、記録用紙Ｐが搬送される搬送経路２０が配置されている。したがって、排出口２６を通るインクチューブの太さを細くすることで、排出口２６を搬送される記録用紙Ｐとの干渉を防止できる。したがって、インクチューブ２４を分割せずに排出口２６に通す場合に比べて、分割されたインクチューブ２４Ｓ１を通すことで、記録用紙Ｐとインクチューブ２４Ｓ１とが干渉してしまう虞を低減できる。
【００７７】
また、ガイド部材３９Ａとリアフレーム部５０との間隙（挿通部９９）は、プリンター１の大型化を抑えるため、できるだけ小さく構成される。したがって、インクチューブ２４を分割せずにガイド部材３９Ａとリアフレーム部５０との間隙に通す場合に比べて、分割されたインクチューブ２４Ｓ２とすることで、インクチューブ２４Ｓ２を該間隙に容易に通すことができる。また、ガイド部材３９Ａとリアフレーム部５０との間隙は狭いため、インクチューブ２４Ｓ２が移動し難いように保持し易い。そのため、ガイド部材３９Ａとリアフレーム部５０との間隙でインクチューブ２４Ｓ２が保持されることで、キャリッジ３５の移動に伴うインクチューブ２４Ｓ２の変形量を少なくすることができ、インクチューブ２４の損傷を防止できる。
【００７８】
上述のように、インクチューブ２４を複数に分割し、分割された部分をプリンター１の外部と内部とを連通する隙間に通すことで、狭い隙間にもインクチューブ２４を通すことができる。また、インクチューブ２４を複数に分割し、分割された部分（インクチューブ２４Ｓ１，２４Ｓ２）をそれぞれ異なる挿通部に通すことで、インクチューブ２４の経路の選択が増える。たとえば、上述したように、分割されていないインクチューブ２４を排出口２６に通す場合には、排出口２６内を搬送される記録用紙Ｐとの干渉が起こり易くなる。しかしながら、インクチューブ２４をインクチューブ２４Ｓ１，２４Ｓ２とに分割することで、インクチューブ２４Ｓ２については、ガイド部材３９Ａとリアフレーム部５０との間隙に通すことができるというように、インクチューブ２４の経路の選択肢が増え、これにより排出口２６に通されるインクチューブ２４のスペースを小さくできるため、記録用紙Ｐとの干渉の虞を低減できる。
【００７９】
なお、排出口２６を通されるインクチューブ２４Ｓ１は、図１，２，６等に示すように、排出口２６の左右方向の中よりも左右方向の何れか一方の側に偏倚した位置（本例では右側）を通されることが好ましい。一方の側に偏倚することで、排出口２６から排出される記録用紙Ｐの進路の妨げになり難い。また、２グループに分けられたインクチューブ２４Ｓ１，２４Ｓ２は、２本ずつに分けるようにしても良いが、インクチューブ２４Ｓ１，２４Ｓ２のうちいずれか一方を３本とし、残りの他方を１本となるように分けても良い。
【００８０】
（インクチューブ２４の他の配置例１）
なお、上述の説明においては、インクチューブ２４Ｓ１は排出口２６を通ると共に、インクチューブ２４Ｓ２は、ガイド部材３９Ａとリアフレーム部５０との間隙（挿通部９９）を通って、装置ハウジング２７の内部から外部へと引き出される構成について説明している。しかしながら、２つに分けられたインクチューブ２４Ｓ１，２４Ｓ２が、排出口２６の左右の両側から装置ハウジング２７の外部へと引き出される構成としてもよい。
【００８１】
この場合において、図１５に示すように、連結部材６８と操作パネル５との間に間隙７４Ａ，７４Ｃに、インクチューブ２４Ｓ１，２４Ｓ２を通すようにしてもよい。このように、間隙７４Ａ，７４Ｃにインクチューブ２４Ｓ１，２４Ｓ２を通す場合には、連結部材６８と操作パネル５とによって、インクチューブ２４Ｓ１，２４Ｓ２を支持することが可能となる。また、インクチューブ２４をインクチューブ２４Ｓ１，２４Ｓ２という２つのグループに分けることにより、狭い間隙７４Ａ，７４Ｃにインクチューブ２４Ｓ１，２４Ｓ２を通しやすくなる。
【００８２】
なお、インクチューブ２４は、たとえば、図７に点線で示すように、連結部材６８に対して後方に延在するビーム９４を固定し、このビーム９４に、２つに分けられる前のインクチューブ２４を固定するように構成しても良い。この場合には、キャリッジ３５が移動する場合においても、インクチューブ２４が装置ハウジング２７の内部で不規則に移動するのが防止可能となる。
【００８３】
また、上述したビーム９４に代えて、２つに分けられる前のインクチューブ２４を、図１６に示すようなチューブ支持杆９５に固定するように構成しても良い。チューブ支持杆９５は、ローラーフレーム４５にを備える構成としてもよい。チューブ支持杆９５によりインクチューブ２４を下方から支持することで、インクチューブ２４の下垂を抑えることができ、インクチューブ２４が装置ハウジング２７内の構造物に衝突したり記録用紙Ｐの搬送の障害になることを防止できる。チューブ支持杆９５は、先端部が二股に分かれるチューブ保持部９６を有する。インクチューブ２４は、チューブ保持部９６の内側に嵌められ、下方に脱落しないように保持されている。チューブ支持杆９５は、たとえば、図７に点線で示す位置に配置され、インクチューブ２４を支持する。
【００８４】
チューブ支持杆９５がインクチューブ２４を支持する位置は特に限定されるものでないが、キャリッジ３５の主走査方向の移動幅の略中央に配置することで、インクチューブ２４のチューブ支持杆９５よりインクタンク２３の部分は、キャリッジ３５の移動に伴う移動が抑えられる。それにより、インクチューブ２４が装置ハウジング２７の内部で不規則に移動するのが防止可能となる。
【００８５】
また、操作パネル５は、収納位置５２に配置された状態で、回動しないように、すなわち、突出位置５３に移動しないように固定されるように構成しても良い。操作パネル５が突出位置５３に配置された状態では、操作パネル５が前方に突出した分だけプリンター１が大型化する。そのため、操作パネル５が、収納位置５２に配置された状態で突出位置５３に移動しないように固定することで、プリンター１が大型化してしまうことを防止できる。
【００８６】
また、操作パネル５が回動しないようにすることで、回動時に操作パネル５がインクチューブ２４（２４Ｓ１）に接触し、インクチューブ２４（２４Ｓ１）を損傷させてしまうことを防止できる。また、インクチューブ２４（２４Ｓ１）が、間隙７４Ａに通されたり、あるいはビーム９４に固定される等により、操作パネル５に対して位置決めされている場合には、操作パネル５が回動すると、その回動によりインクチューブ２４（２４Ｓ１）を変形する。その変形によりインクチューブ２４が破断する等の問題が発生する虞があるが、操作パネル５が回動しないようにすることで、かかる問題の発生を防止できる。
【００８７】
また、上述とは逆に、操作パネル５が突出位置５３に配置された状態から回動しないように、すなわち、突出位置５３から収納位置５２側に移動しないように固定されるように構成しても良い。操作パネル５が突出位置５３に配置された状態では、操作パネル５の操作部配置面５４が上方に向くため操作が行い易い。操作パネル５が、突出位置５３に配置された状態で収納位置５２に移動しないように固定することで、常に操作パネル５を操作し易い配置とすることができる。
【００８８】
操作パネル５を突出位置５３に配置した状態で固定、また、操作パネル５が回動しないようにすることで、回動時に操作パネル５がインクチューブ２４（２４Ｓ１）に接触し、インクチューブ２４（２４Ｓ１）を損傷させてしまうことを防止できる。また、インクチューブ２４（２４Ｓ１）が、間隙７４Ａに通されたり、あるいはビーム９４に固定される等により、操作パネル５に対して位置決めされている場合には、操作パネル５が回動すると、その回動によりインクチューブ２４を変形する。その変形によりインクチューブ２４（２４Ｓ１）が破断する等の問題が発生する虞があるが、操作パネル５が回動しないようにすることで、かかる問題の発生を防止できる。
【００８９】
なお、操作パネル５の収納位置５２または突出位置５３での固定は、操作パネル５の操作部配置面５４から側壁部５５の外側面５６に亘って粘着テープを張り付けたり、あるいは、操作パネル５と側壁部５５とを接着剤を用いて接着する等の手段で行うことができる。
【００９０】
なお、排出口２６から装置ハウジング２７内に引き込まれたインクチューブ２４（２４Ｓ１）は、図８に示すように、間隙７４Ａ等ではなく、操作パネル５の右側の側面部５Ｂとフロントフレーム部４９との間のスペース９７に通してもよい。スペース９７は、側面部５Ｂとフロントフレーム部４９の間隔が狭い場所であり、インクチューブ２４が移動し難いように移動を規制できる。
【００９１】
（インクチューブ２４の他の配置例２）
なお、インクチューブ２４Ｓ１，２４Ｓ２については、図１７に示すように、ガイド部材３９Ａに対して用紙トレイ３９を挟んで左右それぞれのガイド部材３９Ａとリアフレーム部５０との間の間隙（挿通部９９）を通して、装置ハウジング２７の外部へと導くようにしてもよい。この場合、左右のガイド部材３９Ａのうちのいずれか一方は左右に移動可能であるが、左右のガイド部材３９Ａのうちのいずれか他方は左右に移動不能となっていても良い。このように構成しても、インクチューブ２４Ｓ１，２４Ｓ２といった２つのグループに分けて間隙（挿通部９９）を通すことにより、間隙（挿通部９９）が狭くてもインクチューブ２４Ｓ１，２４Ｓ２を通すのが容易となる。用紙トレイ３９を挟んで配置される左右の挿通部９９は、用紙トレイ３９から排出口２６に向かって記録用紙Ｐが搬送される記録用紙Ｐの搬送方向について、キャリッジ３５よりも上流側（後方側）に配置されている。すなわち、インクチューブ２４Ｓ１，２４Ｓ２は、キャリッジ３５よりも搬送方向上流側に配置される挿通部９９に通されている、
【００９２】
（インクチューブ２４の他の配置例３）
図１８に示すように、排出口２６の内側に仕切部材１００を設け、この仕切部材１００と右側面２６Ａ、左側面２６Ｂの間に、それぞれインクチューブ２４Ｓ１，２４Ｓ２を通すように構成しても良い。仕切部材１００は、図１８に示すように、天板部１０１と、この天板部１０１のＹ方向における両端から下方に向かって延伸する一対の仕切板としての側板部１０２（１０２ａ，１０２ｂ）とを有している。側板部１０２（１０２ａ，１０２ｂ）は、記録用紙Ｐの搬送を妨げない位置に配置されている。側板部１０２（１０２ａ，１０２ｂ）により、搬送経路２０と排出口２６の主走査方向の側面である側板部１０２ａおよび右側面２６Ａとが仕切られる。そして、側板部１０２ａと右側面２６Ａとの間にインクチューブ２４Ｓ１を通し、側板部１０２ｂと左側面２６Ｂの間にインクチューブ２４Ｓ２を通している。側板部１０２ａと右側面２６Ａとの間および側板部１０２ｂと左側面２６Ｂの間は、キャリッジ３５よりも搬送方向下流側（前方側）に配置されている。すなわち、液体供給チューブ２４Ｓ１，２４Ｓ２は、キャリッジ３５よりも搬送方向下流側に配置される側板部１０２ａと右側面２６Ａとの間および側板部１０２ｂと左側面２６Ｂの間に通されている、
【００９３】
このような構成とする場合には、仕切部材１００のうち天板部１０１と側板部１０２ａ，１０２ｂとで囲まれる領域は記録用紙Ｐを搬送される搬送経路２０の一部となる。また、仕切部材１００の外側（特に、側板部１０２ａ，１０２ｂと右側面２６Ａまたは左側面２６Ｂとで囲まれる部分）は、インクチューブ２４Ｓ１，２４Ｓ２が通される部分となる。このように、仕切部材１００の存在により、記録用紙Ｐが搬送される領域である搬送経路２０と、インクチューブ２４Ｓ１，２４Ｓ２が通る部分とが隔てられる。それにより、インクチューブ２４Ｓ１，２４Ｓ２が搬送経路２０側に移動してしまうことをより確実に防止できる。かかる移動の防止により、インクチューブ２４Ｓ１，２４Ｓ２が記録用紙Ｐの搬送を阻害してしまうのを防止可能となる。
【００９４】
なお、インクチューブ２４は、複数の流路が隣接して設けられる多連の液体供給チューブとしてもよいが、それぞれのチューブ部分が接合されずに独立している構成としても良い。
【００９５】
（インクチューブ２４の他の配置例４）
図１９に示すように、蓋体としてのスキャナーユニット３と上面開口部７との間に、スキャナーユニット３を装置ハウジング２７の天板２７Ａに対して支持する支持部材１０４を備え、スキャナーユニット３が支持部材１０４により支持された状態で上面開口部７とスキャナーユニット３との間をインクチューブ２４が通る挿通部とする構成としてもよい。そして、このような挿通部に、２つのグループに分けられたインクチューブ２４Ｓ１，２４Ｓ２を通すようにしても良い。ここで、上面開口部７は手指を装置ハウジング２７に入れることができる大きさである。そのため、インクチューブ２４を上面開口部７に通すようにすることで、装置ハウジング２７内にインクチューブ２４を容易に引き込むことができる。
【００９６】
ここで、支持部材１０４よるスキャナーユニット３の上方への持ち上げ量を少なくし、上面開口部７とスキャナーユニット３との間に形成される隙間を小さくしても、インクチューブ２４を２つに分けることで、該隙間にインクチューブ２４を通すことができる。該隙間を小さくすることで、隙間から内部に塵埃が入り難くなり、また、インクミストが装置ハウジング２７の外部に出難くなる。
【００９７】
なお、図１〜図１９に示した構成において、インクタンク２３は、装置ハウジング２７のいずれの部位に配置しても良い。また、インクタンク２３は、たとえば、左右の２箇所等、複数の箇所に分散して配置する構成としてもよい。インクタンク２３が複数の箇所に配置される構成の場合には、各インクタンクに接続されるインクチューブは、それぞれ、上述したインクチューブの配置（経路）に倣って装置ハウジング２７の外側から内側に引き込まれインクヘッド３１に接続される。
【００９８】
インクチューブ２４は、搬送経路２０の側部側に配置される挿通部、たとえば、図１９に示す上面開口部７とスキャナーユニット３との間をインクチューブ２４が通る挿通部と、キャリッジ３５よりも搬送方向上流側に配置される挿通部、たとえば、図２，１４に示す挿通部９９とに通される構成としてもよい。また、インクチューブ２４は、搬送経路２０の側部側に配置される挿通部、インクチューブ２４は、搬送経路２０の側部側に配置される挿通部、たとえば、図１９に示す上面開口部７とスキャナーユニット３との間をインクチューブ２４が通る挿通部と、キャリッジ３５よりも搬送方向下流側に配置される挿通部、たとえば、図１８に示す側板部１０２ａと右側面２６Ａとの間または側板部１０２ｂと左側面２６Ｂの間に通される構成としてもよい。
【００９９】
以上のような、インクチューブ２４の他の配置例を含めた実施の形態では、プリンター１は、スキャナーユニット３を有し、プリンター機能とスキャナー機能とを備える複合機として示されているが、スキャナー機能を有しない、プリンター機能単体のものであってもよい。この場合には、上面開口部７の開閉は、スキャナーユニット３に換えて、スキャナー機能を有しない蓋体により行うことができる。
【０１００】
上述の実施の形態では、プリンター１は、インクヘッド３１がキャリッジ移動機構３０により主走査方向に移動される構成を例として示しているが、プリンター１は、インクヘッドが記録用紙Ｐの幅方向に沿って長手に設けられる、いわゆるラインヘッドを備える構成であっても良い。
【０１０１】
また、上述の実施の形態において、記録装置の概念には、上述したインクジェット式のプリンター１以外に、インク以外の他の液体（液体そのものや、機能材料の粒子が液体に分散又は混合されてなる液状体、ゲルのような流動性を有する材質を含む）を噴射したり噴射したりする記録装置を含むようにすることもでき、そのような記録装置に対しても本発明を適用可能である。そのようなものとしては、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液体を噴射する記録装置、バイオチップ製造に用いられる生体有機物を噴射する記録装置、精密ピペットとして用いられ試料となる液体を噴射する記録装置等がある。
【０１０２】
さらに、本発明の記録装置の概念に含まれるものとしては、時計やカメラ等の精密機械にピンポイントで潤滑油を噴射する記録装置、光通信素子等に用いられる微小半球レンズ（光学レンズ）などを形成するために紫外線硬化樹脂等の透明樹脂液を基板上に噴射する記録装置、基板などをエッチングするために酸又はアルカリ等のエッチング液を噴射する記録装置、ゲル（例えば物理ゲル）などの流状体を噴射する記録装置等がある。
【符号の説明】
【０１０３】
Ｐ  …  記録用紙（記録媒体）
１  …  プリンター（記録装置）
３  …  スキャナーユニット（蓋体
４  …  ボタン群（操作部）
５  …  操作パネル
７  …  上面開口部（開口部）
２０  …  搬送経路
２１  …  搬送機構
２３  …  インクタンク（液体収容タンク）
２４  …  インク供給チューブ（液体供給チューブ）
２５  …  装置フレーム（フレーム体）
２６  …  排出口
２７  …  装置ハイジング（筐体）
３１  …  インクヘッド（記録ヘッド）
３５  …  キャリッジ
３９  …  用紙トレイ（記録媒体装填部）
３９Ａ  …  ガイド部材
５１  …  回動支持機構
５２  …  収納位置
５３  …  突出位置
５４  …  操作部配置面
５５  …  側壁部
５６  …  外側面
５７  …  ストッパーフレーム（支持部材）
５８  …  ストッパーガイド（固定部材）
６０  …  軸部
６８  …  連結部材
７４Ａ，７４Ｂ，７４Ｃ  …  間隙
１００  …仕切部材
１０１  …天板部
１０２，１０２ａ，１０２ｂ  …側板部
１０４  …  支持部材
【図１】
2013202934.tif 000003
【図２】
2013202934.tif 000004
【図３】
2013202934.tif 000005
【図４】
2013202934.tif 000006
【図５】
2013202934.tif 000007
【図６】
2013202934.tif 000008
【図７】
2013202934.tif 000009
【図８】
2013202934.tif 000010
【図９】
2013202934.tif 000011
【図１０】
2013202934.tif 000012
【図１１】
2013202934.tif 000013
【図１２】
2013202934.tif 000014
【図１３】
2013202934.tif 000015
【図１４】
2013202934.tif 000016
【図１５】
2013202934.tif 000017
【図１６】
2013202934.tif 000018
【図１７】
2013202934.tif 000019
【図１８】
2013202934.tif 000020
【図１９】
2013202934.tif 000021